(57)【要約】      （修正有）【課題】セルモニタ装着部の剛性、強度が向上された燃料電池を提供する。【解決手段】セルの外形縁から突出しセルモニタ６０と係合してセルモニタのセルから離れる方向への移動を制限する係合部４１をもつ燃料電池。セルが互いに間隔をおいて設けられた複数の係合部４１を有し、該複数の係合部が１つのセルモニタに複数の箇所で係合する。セパレータはセルモニタ端子とセパレータの板面で接触する。燃料電池はセパレータ間の介在物を有し、係合部４１は介在物に形成されている。介在物が樹脂フレーム５３である。複数のセルに対して１つのセルモニタ６０が装着され、セルモニタの端子は隣接するセル間で互い違いの箇所でセルのセパレータと導通する。【選択図】図２
2007242325.tif 000002
【特許請求の範囲】
【請求項１】
セパレータとセパレータに付設されるセパレータ間介在物とを有するセルの外形縁から突出しセルモニタと係合してセルモニタのセルから離れる方向への移動を制限する係合部をもつ燃料電池。
【請求項２】
セルが互いに間隔をおいて設けられた複数の前記係合部を有し、該複数の係合部が１つのセルモニタに複数の箇所で係合する請求項１記載の燃料電池。
【請求項３】
前記燃料電池はセパレータを有し、前記セルモニタはセルモニタ端子を有し、前記セパレータは前記セルモニタ端子とセパレータの板面で接触する請求項１または請求項２記載の燃料電池。
【請求項４】
前記燃料電池はセパレータとセパレータ間の介在物を有し、前記係合部は前記介在物に形成されている請求項１−請求項３記載の燃料電池。
【請求項５】
前記セパレータがメタルセパレータで前記介在物が樹脂フレームであり、前記係合部が前記樹脂フレームに形成されている請求項４記載の燃料電池。
【請求項６】
積層された複数のセルに対して１つのセルモニタが装着され、セルモニタの端子は隣接するセル間で互い違いの箇所でセルのセパレータと導通する請求項１−請求項５記載の燃料電池。
【請求項７】
前記係合部がセルの左右または上下非対称箇所の設置され、セル化、スタック化時の誤組み付け防止機能を具備している請求項１−請求項６記載の燃料電池。
【発明の詳細な説明】
【技術分野】
【０００１】
本発明は、燃料電池に関し、とくにセルモニタの燃料電池への着脱の作業性を向上させた燃料電池に関する。
【背景技術】
【０００２】
単位燃料電池はＭＥＡ（膜−電極接合体）をセパレータで挟んだものから形成される。セパレータがメタルセパレータからなる場合は、ＭＥＡとセパレータの間に樹脂フレームが介在してもよい。
単位燃料電池を複数積層して燃料電池スタックが形成される。燃料電池スタックの各単位燃料電池または適宜の燃料電池には、燃料電池の情報を得るための、たとえば電圧を測定するための、セルモニタが装着される。
特開２００１−２５６９９１号公報は、セパレータの縁辺に凹み（端子取付穴）を形成し、該凹みにセルモニタの端子を挿入する燃料電池を開示している。
【特許文献１】特開２００１−２５６９９１号公報
【発明の開示】
【発明が解決しようとする課題】
【０００３】
しかし、上記の従来の燃料電池では、各単セルにセルモニタが取り付けられ、セルモニタの取付け、取り外しが煩雑であるという課題があった。また、セパレータに端子取付穴を形成するにはセパレータが穴径以上の厚みを有することが必要となり、厚さの薄いメタルセパレータに適用することが困難であった。
本発明の目的は、セルモニタの取付け、取り外しの作業性がよい燃料電池を提供することにある。
【課題を解決するための手段】
【０００４】
上記課題を解決する、そして上記目的を達成する、本発明の燃料電池は、セパレータとセパレータに付設されるセパレータ間介在物とを有するセルの外形縁から突出しセルモニタと係合してセルモニタのセルから離れる方向への移動を制限する係合部（たとえば、爪）をもつ。
各燃料電池は、互いに間隔をおいて設けられた複数の係合部を有し、該複数の係合部が１つのセルモニタに複数の箇所で係合する。
燃料電池はセパレータを有し、セルモニタはセルモニタ端子を有し、セパレータはセルモニタ端子とセパレータの板面（セル積層方向と直交する板面）で接触する。
燃料電池はセパレータとセパレータ間の介在物を有し、係合部は介在物に形成されている。
たとえば、セパレータがメタルセパレータであり、介在物が樹脂フレームであり、係合部が樹脂フレームに形成されている。
積層された複数（たとえば、５個、ただし、５個に限る必要はなく２個以上であればよい）のセルに対して１つのセルモニタが装着され、セルモニタの端子は隣接するセル間で互い違いの箇所でセルのセパレータと導通する。
係合部がセルの左右または上下非対称箇所に設置され、セル化、スタック化時の誤組み付け防止機能を具備している。
【発明の効果】
【０００５】
本発明の燃料電池によれば、係合部がセルの外形縁から突出しているので、セルモニタを係合部に係合させることにより、セルモニタのセルへの装着と位置決めができ、セルモニタのセルへの着脱性が向上する。また、いったん装着すると、係合部がセルモニタと係合してセルモニタのセルから離れる方向への移動を制限するので、セルモニタのセルからの外れを防止できる。また、セルモニタをセルから外すときも可動爪を係合部から外すことにより容易に外すことができる。
さらに、係合部が凹みや穴ではなく突出部からなるので、係合部が形成されるセル構成部材は穴の場合ほど厚みを必要とされず、係合部が形成されるセル構成部材がメタルセパレータと共に用いられる樹脂フレームであっても、十分に係合部を形成することが可能である。
各燃料電池が、互いに間隔をおいて設けられた複数の係合部を有する場合（たとえば、Ｌ字型係合部の間に間隔を設けた場合）は、複数の係合部間にセルモニタの挟み爪を挿入するスペースを確保することができ、小スペースでセルモニタの固定、位置決めが容易である。
セルのセルモニタ係合部の板面が、セルモニタの端子と面接触して互いに導通する場合は、薄いセパレータの端面でセルモニタの端子と接触している場合に比べて、接触面積を大きくとることができ、接触抵抗を小さくすることができる。
燃料電池はセパレータとセパレータ間の介在物を有し、係合部が介在物に形成されている場合、たとえば、セパレータがメタルセパレータであり、介在物が樹脂フレームであり、係合部が樹脂フレームに形成されている場合は、介在物、たとえば樹脂フレームがメタルセパレータより大きな剛性と強度を有するので、メタルセパレータに係合部を形成してセルモニタをメタルセパレータに係合させる場合よりセルモニタを強固にセルに保持することができる。
積層された複数（たとえば、５個、ただし、５個に限るものではない）のセルに対して１つのセルモニタが装着される場合は、各セルに各セルモニタを取付けていた従来の場合にくらべて、セルモニタ取付けの作業性が向上する。セルモニタの端子が、隣接するセル間で互い違いの箇所で、セルのセパレータと接触し導通する場合は、セルの厚さが小であっても、各端子を各セルに取付けるスペースを確保することができる。
係合部がセルの左右または上下非対称箇所の設置される場合は、セル化、スタック化時のセパレータの誤組み付け（上下逆にして組み付けたり、左右逆にして組み付けたりすること）を、目視により容易に見いだすことができ、容易に誤組み付けを防止することができる。
【発明を実施するための最良の形態】
【０００６】
以下に、本発明の燃料電池を図１−図８を参照して説明する。
本発明が適用される燃料電池（セルともいう）は、たとえば固体高分子電解質型燃料電池１０である。燃料電池（セル）１０は、たとえば燃料電池自動車に搭載される。ただし、自動車以外に用いられてもよく、たとえば家庭用の定置型燃料電池として用いられてもよい。
【０００７】
図１、図７、図８に示すように、固体高分子電解質型燃料電池１０は、膜−電極アッセンブリ（ＭＥＡ：Membrane-Electrode Assembly ）とセパレータ１８との積層体からなる。
膜−電極アッセンブリは、イオン交換膜からなる電解質膜１１とこの電解質膜１１の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層（ガス拡散層ともいう）１３、１６が設けられる。
膜−電極アッセンブリとセパレータ１８を重ねてセル１０を構成し、セル１０を積層してセル積層体とし、セル積層体のセル積層方向両端に、ターミナル２０、インシュレータ２１、エンドプレート２２を配置し、エンドプレート２２をセル積層体の外側でセル積層方向に延びる締結部材（たとえば、テンションプレート２４）に、ボルト・ナット２５にて固定して、セル積層体にセル積層方向の締結荷重を付与して、燃料電池スタック２３を構成する。
【０００８】
セパレータ１８には、発電領域５１において、アノード１４に燃料ガス（水素）を供給するための燃料ガス流路２７が形成され、カソード１７に酸化ガス（酸素、通常は空気）を供給するための酸化ガス流路２８が形成されている。また、セパレータ１８にはガス流路２７、２８と反対側の面に冷媒（通常、冷却水）を流すための冷媒流路２６も形成されている。セパレータ１８には、非発電領域５２において、燃料ガスマニホールド３０、酸化ガスマニホールド３１、冷媒マニホールド２９が形成されている。燃料ガスマニホールド３０は燃料ガス流路２７と連通しており、酸化ガスマニホールド３１は酸化ガス流路２８と連通しており、冷媒マニホールド２９は冷媒流路２６と連通している。
セパレータ１８は、カーボンセパレータ、またはメタルセパレータ（メタルセパレータと樹脂フレーム５３の組み合わせを含む）、または導電性樹脂セパレータからなる。セパレータ１８が、メタルセパレータからなる場合、メタルセパレータ１８の材料は、たとえば、ステンレススチール、アルミニウムまたはその合金、チタンまたはその合金、マグネシウムまたはその合金、等である。樹脂フレーム５３は、熱硬化性樹脂のフレームである。
【０００９】
各セル１０の、アノード１４側では、水素を水素イオン（プロトン）と電子に変換する電離反応が行われ、水素イオンは電解質膜１１中をカソード１７側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水が生成され、次式にしたがって発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１０】
各種流体（燃料ガス、酸化ガス、冷媒）は、互いに、かつ外部から、それぞれシールされる。各セル１０のＭＥＡを挟む２つのセパレータ１８間は、第１のシール部材３２によってシールされており、隣接するセル１０同士の間は、第２のシール部材３３によってシールされている。セパレータがメタルセパレータからなる場合は、メタルセパレータ１８と電解質膜１１との間に、非発電領域５２において、樹脂フレーム５３（発電領域５１が中抜きされた樹脂製フレームで、マニホールド孔を具備しているフレーム）が介装される場合があるが、その場合は、メタルセパレータ１８と樹脂フレーム５３との間、および樹脂フレーム５３と電解質膜１１との間が第１のシール部材３２によってシールされる。
第１のシール部材３２は、たとえば接着剤シール（シール接着剤）からなり、第２のシール部材３３は、たとえば、シリコーンゴム、フッ素ゴム、ＥＰＤＭ（エチレンプロピレンジエンゴム）等のゴムシール材からなる。ただし、第１のシール部材３２、第２のシール部材３３とも、接着剤シール剤、またはゴムシール材から構成されてもよい。
【００１１】
図１−図６に示すように、燃料電池スタック２３には、セル情報（セル電圧、セル温度、または他の情報）を検出するセルモニタ６０が、セル１０の係合部４１にて着脱可能に、セル１０に装着される。
【００１２】
セル１０は一対のセパレータ１８（No.1セパレータとNo.2セパレータ) 間に介在物を有し、係合部４１は介在物に形成されている。セル１０がメタルセパレータ１８と樹脂フレーム５３を有する場合、介在物は樹脂フレーム５３であり、セル１０の係合部４１は樹脂フレーム５３に形成される。
【００１３】
セル１０の係合部４１は、セルモニタ６０と係合してセルモニタを保持する。セル１０の係合部４１は、セル１０の外形の辺の縁から外側に向かって突出しセルモニタ６０と係合してセルモニタ６０のセル１０から離れる方向への移動を制限する。たとえば、セル１０の係合部４１は、セル１０の外形の辺の縁から外側に向かって突出し突出先端で折れ曲がってセル１０の外形縁と平行な方向に延びるＬ字状の爪からなり、セルモニタ６０の可動爪６３と係合した時に、セルモニタ６０のセル１０から離れる方向への移動を規制する。
【００１４】
燃料電池１０の一対のセパレータ１８（No.1セパレータとNo.2セパレータ) のうちの一方のセパレータ１８は、セルモニタ６０が装着される部位において、セル１０の外形から外側に突出してセパレータ突出部４５を形成しており、他方のセパレータ１８は突出していない。
【００１５】
一対のセパレータ１８（No.1セパレータとNo.2セパレータ) のうちの一方のセパレータ１８の突出部４５に対応する部位では、一対のセパレータ１８間の介在物である一対の樹脂フレーム５３は、一方のセパレータ１８の突出部４５のように突出しておらず、セルモニタ６０のセパレータ挟み爪６２を隣接するセルのセパレータ突出部４５の間に挿入することが可能である。ただし、一対の樹脂フレーム５３も、一方のセパレータ１８の突出部４５のように突出させてもよいが、その場合は、一対の樹脂フレーム５３に、セルモニタ６０のセパレータ挟み爪６２を干渉することなく受け入れる溝４６（図６）を形成しておくようにする。
【００１６】
セルモニタ６０は、樹脂のハウジング６１と、ハウジング６１に一体に形成されセル１０側に向かって突出しセパレータ突出部４５の板面４３と平行に延びるセパレータ挟み爪６２と、セパレータ挟み爪６２のセパレータ突出部４５対向面に形成された電極測定部（セルモニタ端子）６６と、ハウジング６１に対して可動でセル１０の係合部４１と係合可能な可動爪６３を有する。
可動爪６３はばね部６４によって可動爪６３が係合部４１と係合する方向に付勢されている。可動爪６３のハウジングから飛び出た部分はボタン部６５を形成し、ボタン部６５を押すと、可動爪６３がばね部６４の付勢に抗して、ばね部６４をてこの支点として、可動爪６３の先端折れ曲がり部６３ａの、係合部４１との係合が外れる方向に、可動部６３が動かされる。
【００１７】
１つのセルモニタ６０が複数のセル１０の情報をモニタする。たとえば、１つのセルモニタ６０が５個（ただし、５個に限らず）のセル１０の情報をモニタする場合は、１つのセルモニタ６０は、１個のハウジング６０と、１０個（各セルにつき２個）のセパレータ挟み爪６２を、有する。
セルモニタ６０のセパレータ挟み爪６２は、各セルの一方のセパレータ１８の突出部４５に対して、それぞれ、該突出部４５を挟むように一対設けられ、各一対のセパレータ挟み爪６２は、セル１０の一方のセパレータ１８の突出部４５を、隙間をもって挟む。セパレータ挟み爪６２の、一方のセパレータ１８の突出部４５に対向する対向面には端子（電極測定部）６６が形成されており、一方のセパレータ１８に接触して導通する。
【００１８】
セル１０は、セル面内方向において互いに間隔をおいて設けられた複数の係合部４１を有し、該複数の係合部４１は、セル面内方向において、１つのセルモニタ６０の複数の可動爪６３に複数の箇所で係合する。図示例では、各セル１０が、セル面内方向に互いに間隔Ｄをおいて設けられた２つのＬ字状係合部４１を有する。この２つのＬ字状係合部４１は、折れ曲がった部位から先のセル１０の外形の辺の縁と平行な方向に延びる部分４１ａを互いに離れる方向に向けて、延びており、部分４１ａがセルモニタ６０の可動爪６３の先端折れ曲がり部６３ａと係合してセルモニタ６０のセル１０から離れる方向への移動を制限する。２つのＬ字状係合部４１の間の間隔Ｄには、セルモニタ６０のセパレータ挟み爪６２が挿入される。２つのＬ字状係合部４１の間に間隔Ｄがあるため、セルモニタ６０のセパレータ挟み爪６２は、樹脂フレーム５３の係合部４１の間にある部分と干渉することなく、間隔Ｄに突入可能である。
図６に示すように、係合部４１をＴ字状にすると、セルモニタ６０のセパレータ挟み爪６２が係合部４１に干渉するので、干渉部には溝（２点鎖線で示した溝４６）を形成しなければならなくなる。
【００１９】
セルモニタ６０は、セパレータ挟み爪６２のセパレータ対向面に、セルモニタ端子（電極測定部）６６を有し、セパレータ１８はセルモニタ端子６６とセパレータ１８の板面４３（セル面に平行な面）にて接触し、セパレータの情報（たとえば、電圧）が測定可能となる。また、接触はセパレータ１８の板面４３にての接触であり、接触面積が、セパレータの端面４４との接触の場合に比べて大である。
【００２０】
燃料電池スタック２３において、積層された複数（たとえば、５個、ただし、５個に限るものではない）のセル１０に対して１つのセルモニタ６０が装着される。１つのセルモニタ６０の複数の端子６６は、隣接するセル１０間で互い違いの箇所（セル面と平行は方向に互いにオフセットした箇所）で、セル１０のセパレータ１８の突出部４５と接触し、導通する。互い違いの箇所とする理由は、セル１０の厚さが薄いので、隣接するセル同士の間でセパレータ挟み爪６２が干渉するのを避けるためである。
【００２１】
セル１０の係合部４１はセル１０の左右または上下に非対称箇所の設置される。たとえば、上下に非対称とされる場合は、上下の一方のみにセル１０の係合部４１を設けるといった具合である。左右に非対称とされる場合は、左右の一方のみにセルの係合部を設けるといった具合である。左右または上下に非対称箇所の配置により、セル化、スタック化時の誤組み付け防止機能を具備している。たとえば、セルを積層してスタック化していく時に、上下逆にセル１０の係合部４１が組み付けられると、誤組み付けされたセル１０の係合部４１が他の正しい組み付けのセルの係合部と反対側に現れて、目視によりすぐに発見できるといった具合である。
【００２２】
つぎに、本発明の燃料電池の作用、効果を説明する。
セル１０が積層されてスタック２３とされ、各セル１０に、あるいは複数のセル毎に、セルモモタ６０が装着されて、セル１０の情報がモニタされ、コンピュータに入力されて演算し、演算結果に基づいてセル１０の運転が制御される。
セルモニタ６０の複数のセル１０への装着は、セルモニタ６０のボタン部６５を手で押して可動爪６３を開き、セルモニタ６０を可動爪６３がセル１０の係合部４１に係合可能な位置まで十分に挿入し、ボタン部６５から手を離して、ばね部６４のばね力で可動爪６３を閉じて可動爪６３をセル１０の係合部４１に係合させることにより行う。可動爪６３がセル１０の係合部４１に係合した時には、セルモニタ６０のセパレータ挟み爪６２がセル１０のセパレータおよび樹脂フレームの突出部４５を隙間をもって挟み、セルモニタ６０がスタック２３に対して位置決めされるとともに、端子（電極測定部）６６がセパレータ１８の突出部４５に板面接触し導通する。
【００２３】
本発明の燃料電池によれば、係合部４１がセルの外形縁から外側に向かって突出しているので、セルモニタ６０を係合部４１に係合させるとともにセパレータ挟み爪６２でセパレータ突出部４５を挟むことにより、セルモニタ６０のセル１０への装着と位置決めができる。１つのセルモニタ６０が複数のセパレータ１８と接触、導通するので、セルモニタ６０のセル１０への着脱性が向上する。また、いったん装着すると、係合部４１がセルモニタ６０と係合してセルモニタ６０のセル１０から離れる方向への移動を制限するので、セルモニタ６０のセル１０からの外れを防止できる。また、セルモニタ６０をセル１０から外すときも可動爪６３を係合部４１から外すことにより容易に外すことができる。
さらに、係合部４１が凹みや穴ではなく突出部からなるので、係合部４１が形成されるセル構成部材（たとえば、樹脂フレーム５３）は従来の穴の場合ほど厚みを必要とされず、係合部４１が形成されるセル構成部材（たとえば、樹脂フレーム５３）がメタルセパレータと共に用いられる樹脂フレームであっても、セル構成部材（たとえば、樹脂フレーム５３）の剛性、強度を損なわずに、十分に係合部を形成することが可能である。
【００２４】
各燃料電池１０が、互いに間隔Ｄをおいて設けられた複数の係合部４１を有する場合は、複数の係合部４１間にセルモニタ６０のセパレータ挟み爪６２の挿入スペースをとることができ、小スペースでセルモニタ６０の固定、位置決めが容易である。セルモニタ６０のセパレータ挟み爪６２とセパレータ突出部４５のセル積層方向係合によりセルモニタ６０のスタック２３に対するセル積層方向位置決めができ、セルの係合部４１とセルモニタ６０との係合によりセルモニタ６０のセル面内方向の位置決めができる。
【００２５】
セル１０のセルモニタ係合部４１の板面４３が、セルモニタ１０の端子（電極測定部）６６と面接触して互いに導通する場合は、薄いセパレータの端面４４でセルモニタの端子と接触している場合に比べて、接触面積を大きくとることができ、接触抵抗を小さくすることができる。
【００２６】
燃料電池１０はセパレータとセパレータ間の介在物を有し、係合部４１が介在物に形成されている場合、たとえば、セパレータ１８がメタルセパレータであり、介在物が樹脂フレーム５３であり、係合部４１が樹脂フレーム５３に形成されている場合は、介在物、たとえば樹脂フレーム５３がメタルセパレータ１８より大きな剛性と強度を有するので、セルモニタ６０をメタルセパレータ１８に保持させる場合より強固にセルモニタ６０を保持することができる。
【００２７】
積層された複数（たとえば、５個、ただし、５個に限定されるものではない）のセル１０に対して１つのセルモニタ６０が装着される場合は、各セル１０に各セルモニタ６０を取付けていた従来にくらべて、セルモニタ取付けの作業性が向上する。たとえば、５個のセル１０に対して１つのセルモニタ６０が装着される場合は、１つのセルモニタ６０の装着で、５個のセル１０へのセルモニタの装着を完了する。
また、セルモニタ６０の端子（電極測定部）６６が、スタック２３の、隣接するセル１０間で互い違いの箇所で、セル１０のセパレータ１８と導通する場合は、セル１０の厚さが小であっても、各端子（電極測定部）６６を各セルに取付けることができる。
また、係合部４１がセルの左右または上下非対称箇所の設置される場合は、セル化、スタック化時のセパレータの誤組み付けを、目視により、容易に防止することができる。
【図面の簡単な説明】
【００２８】
【図１】本発明の燃料電池の概略正面図である。
【図２】本発明の燃料電池の、セルモニタ装着部とその近傍を含む、概略断面図である。
【図３】図２の燃料電池のＡ視図である。
【図４】図２の燃料電池のＢ視図である。
【図５】図４のＣ−Ｃ視図である。
【図６】図５で係合部を２個のＬ字状係合部から１個のＴ字状係合部にした場合の概略図である。
【図７】本発明の燃料電池を組み込んだ燃料電池スタックの概略側面図である。
【図８】図７の一部の拡大断面図である。
【符号の説明】
【００２９】
１０  （固体高分子電解質型）燃料電池
１１  電解質膜
１３、１６  拡散層
１４  アノード
１７  カソード
１８  セパレータ
２０  ターミナル
２１  インシュレータ
２２  エンドプレート
２３  燃料電池スタック
２４  締結部材（テンションプレート）
２５  ボルト
２６  冷媒流路（冷却水流路）
２７  燃料ガス流路
２８  酸化ガス流路
２９  冷媒マニホールド
３０  燃料ガスマニホールド
３１  酸化ガスマニホールド
３２  第１のシール部材
３３  第２のシール部材
４１  セルのセルモニタ係合部
４１ａ  折れ曲がった部位から先の、セルの外形の辺の縁と平行な方向に延びる部分
４２  介在物
４３  板面
４４  端面
４５  突出部
４６  溝
５１  発電領域
５２  非発電領域
５３  樹脂フレーム
６０  セルモニタ
６１  ハウジング
６２  （セルモニタの）セパレータ挟み爪
６３  （セルモニタの）可動爪
６３ａ  可動爪先端折れ曲がり部
６４  ばね部
６５  ボタン部
６６  端子（電極測定部）
【図１】
2007242325.tif 000003
【図２】
2007242325.tif 000004
【図３】
2007242325.tif 000005
【図４】
2007242325.tif 000006
【図５】
2007242325.tif 000007
【図６】
2007242325.tif 000008
【図７】
2007242325.tif 000009
【図８】
2007242325.tif 000010